(57)【要約】【課題】ホームオートメーション装置において、エレメント間の通信制御に電源内蔵型リレーを必要としたり、起動／スリープサイクルにしたがって動作するためにネットワークのエレメントと端末の通信の機会が制限されるという課題があった。【解決手段】少なくとも１つの送信エレメント、電源内蔵型の受信エレメント、及び、受信エレメントを代替するための代替エレメントを有し、受信エレメントがスリープモードにある場合、代替エレメントは、送信エレメントにより送信される受信エレメント宛の情報を受信及び記憶し、受信エレメントが、もはやスリープモードでない場合、代替エレメントは記受信エレメント宛の情報を送信するホームオートメーション装置に適用される通信方法を構成する。【選択図】図１
2008011533.tif 000002
【特許請求の範囲】
【請求項１】
ホームオートメーション装置（ＩＮＳＴ）における通信方法であって、
少なくとも１つの送信エレメント（ＸＸＸ）、電源内蔵型の受信エレメント（ＳＡＵ）、及び、該受信エレメントを代替するための代替エレメント（ＳＢＵ）を有し、該送信エレメント、受信エレメント、置換用エレメントは同一のネットワーク（ＲＦＮ）に属し、
前記受信エレメントがスリープモードにある場合、前記代替エレメントは、前記送信エレメントにより送信される前記受信エレメント宛の情報を受信及び記憶し、
前記受信エレメントが、もはやスリープモードでない場合、前記代替エレメントは、前記受信エレメント宛の情報を送信することを特徴とする通信方法。
【請求項２】
前記受信エレメントがスリープモードでない場合、前記情報は、前記送信エレメント及び受信エレメント間で直接送信される請求項１に記載の通信方法。
【請求項３】
前記受信エレメントがスリープモードであり且つ前記情報の受信が生じる場合、前記代替エレメントは、前記代替エレメントの識別子を前記受信エレメントの識別子に置換することによって前記情報が適切に受信されたことを前記送信エレメントに対して確認する請求項１又は２に記載の通信方法。
【請求項４】
前記代替エレメントは前記受信エレメントがスリープモードに入ることに関するメッセージを前記受信エレメントから受信した後でのみ、前記代替エレメントは前記送信エレメントにより送信された前記受信エレメント宛の情報を受信及び記録する請求項１〜３のいずれか一項に記載の通信方法。
【請求項５】
前記代替エレメントは前記代替エレメントにより受信され且つ前記受信エレメントにより送信された最後のメッセージの受信の後の所定の時間を計測した後でのみ、前記送信エレメントにより送信された前記受信エレメント宛の情報を受信及び記録する請求項１〜３のいずれか一項に記載の通信方法。
【請求項６】
前記代替エレメントは幾つかの受信エレメントのために前記代替エレメント自身を代替可能とする請求項１〜５のいずれか一項に記載の通信方法。
【請求項７】
前記代替エレメントは、事前の指定手続の過程で前記装置のエレメントの中から指定される請求項１〜６のいずれか一項に記載の通信方法。
【請求項８】
前記代替エレメントは、前記受信エレメントにより送信される信号の受信レベルが、代替エレメントになる能力がある様々なエレメントにおいて測定される事前の習得手続の過程で決定される請求項１〜６のいずれか一項に記載の通信方法。
【請求項９】
前記信号は、前記受信エレメントにより減少された電力において送信される請求項８に記載の通信方法。
【請求項１０】
前記信号受信感度は、代替エレメントになる能力を有する前記装置の各エレメントにおいて減少される請求項８又は９に記載の通信方法。
【請求項１１】
前記代替エレメントは、前記代替エレメントの識別子を前記送信エレメントの識別子に置換することにより前記受信エレメント宛の情報を送信する請求項１〜１０のいずれか一項に記載の通信方法。
【請求項１２】
前記代替エレメントは、前記代替エレメント自身を幾つかの送信エレメントを代替することができる請求項１１に記載の通信方法。
【請求項１３】
少なくとも１つの送信エレメント（ＸＸＸ）及び電源内蔵型受信エレメント（ＳＡＵ）を有するホームオートメーション装置（ＩＮＳＴ）であって、
ハードウェア（ＭＥＭ、ＲＸ／ＴＸ＠ＳＢＵ）及び請求項１〜１２のいずれか一項に記載の通信方法を実行するソフトウェア手段を有することを特徴とするホームオートメーション装置。
【発明の詳細な説明】
【技術分野】
【０００１】
本発明は、電源内蔵型エレメントにあてたホーム・オートメーション装置のエレメント間のコマンド又はデータの転送に関する。そのエレメントは、例えば、無線周波数で互いに通信する。それらは、特に、アクチュエータ、センサ、及びコントロールポイントを有する。
【０００２】
アクチュエータは、一般に、商用電力供給網により給電され、しかし一方、センサ及びコントロールパネルは、一般に、例えば、乾電池又は充電池により給電される。
【０００３】
そのような装置において、電源内蔵型エレメントが双方向性タイプになるとすぐに、無線周波数受信器により永続的なリスニングをいかに回避するかという１つの問題が生じる。その永続的なリスニングは、消費を増加させる結果となり、それゆえ自律性を失うことになる。
この問題は、多数の発明を生じさせる。
【背景技術】
【０００４】
第１の発明グループにおいて、国際出願ＷＯ００／２８７７６は、固定時間で起動する受信器を開示する。それゆえ、それらは永続的に給電される少なくとも１つのクロックデバイスを含む必要がある。類似のやり方は、特許出願ＥＰ１４０４０４３に記載される。
【０００５】
第２の発明グループは、ルータを使うために、例えば、それらは商用電源網で給電され、又は、大きなエネルギー蓄積により給電しなくてはならないので、電源供給という問題が生じる。特許出願ＥＰ１５４５０７６は、セルラーネットワークにおける携帯機器の中継としての自動車の使用を記述する。類似の使用が、特許出願ＪＰ５９０９２１３３及びＪＰ１１２７６３４３に見られる。ホーム・オートメーションに関連する分野では、米国特許６，５２５，６４５が、自動車の中に配置され且つその蓄電池によって給電される。識別コードが有効であり、運転手によって携帯される携帯機器により送られる信号は、完全に同じように繰り返されるが、その繰り返しによってさらに電力を有する信号となる。
【０００６】
米国特許７，０２７，４１６もまた、ホーム・オートメーションタイプの装置を記述し、それは、電源内蔵型デバイスの各々が、低電力手段によって、範囲及び消費の両方を減らすことを可能にするように通信する。そのルータは、高電力で、互いに通信し、及び異なる周波数帯にしたがって、低レベル通信に使用される異なるプロトコルで互いに通信する。２つのエレメント間の通信は、少なくとも１つ、一般には、幾つかの使用を要求する。電源内蔵型エレメントは、周期的に、又は、ランダムに予め決められた負荷比率にしたがって動作停止する。そのようなエレメントと通信しなければならないルータは、この操作様式を通知され、通信時を規定することに注意する。エレメントは直接的に互いに通信することは提供されない。このことは、階層化されたノットワークの性質によって説明され、且つ、ローカル及び／又は例えば電話網を介したリモートコントローラによって判断がとられるという事実によって説明される。コントローラは、ローカルルーティングテーブルの知識に基づいて、メインルーティングテーブルも管理する。
【０００７】
発明の第３のグループは、「メールボックス」タイプのリピータの使用を記述する。
米国特許４，８０３，４８７は、リモートディスプレイ手段と共にポケベルのケースを取り扱っている。例えば、主受信機又は第１の受信機が、メッセージを受信しそれをメモリに記憶する。高容量のバッテリーで給電されるにもかかわらず、エコノマイザーデバイスがそのポケベルがメッセージの宛先で無い場合、所与の時間間隔でスリープ状態になることを試みる。この主受信機は、リモートディスプレイを有する恐らくは双方向手段により通信する。ディスプレイと第１の受信機との間のリンクは、各ポケベルへメッセージを送信するために使用される通信プロトコルから、異なるプロトコルと共に実行される。ユーザ制御の起動と共に、リモートディスプレイの送信機は、第１の受信機に問合せ、そして第１の受信機は、メモリに格納された情報を、リモートディスプレイの受信機に送信する。
【発明の開示】
【発明が解決しようとする課題】
【０００８】
それゆえ、従来技術は、幾つかの通信手段又はプロトコルを支持する複雑な構造を求め、又は、携帯リモート制御用の制限された性能でも単一の通信手段を提供し、そのとき、受信ではなく送信において消費を削減するという観点から問題を処理する。特に、問題は、携帯リモート制御を容易にアクセスできない（および、そのためにセルを取り替えるのが困難な）センサに置き替える場合に生じ、インテリジェントリレーが、それ自身電源内蔵型であり又は形態可能であるときなおいっそう生じる。
【０００９】
さらに、公開番号ＵＳ２００６／００２５１８１は、ネットワーク上を通信するエレメントセットを有する装置を開示する。エレメントの１つは、ネットワークの部分を形成しない電源内蔵型の端末とさらに通信する。この電源内蔵型の端末は、その自律性を最適化するために、起動状態及びスリープ状態を交代するサイクルにしたがって動作する。したがって、ネットワークのエレメントが端末にデータの送信を望む一方で端末がスリープ状態のケースでは、このネットワークエレメントは、メモリにデータを格納し、それが実際にデータを送信する前に、電源内蔵型端末の起動情報を待つ。この装置では、送信及び受信の両方において、単一のエレメントと通信することができるだけであり、ネットワークのエレメントと端末の通信の可能性は、非常に制限されている。
【課題を解決するための手段】
【００１０】
本発明の目的は、前述の欠点を未然に防ぎ、且つ、従来技術で知られた通信方法を改良することを可能にする通信方法を提供することである。特に、本発明に係る通信方法は、ホームオートメーション・エレメントのネットワークとして組織化されるホームオートメーション装置の電源内蔵型のエレメントの通信のためのエネルギー消費を最小化し、特に、信号送信フェーズの他に消費されるエネルギーを最小化する可能にする。
【００１１】
上記通信方法は、少なくとも１つの送信エレメント、電源内蔵型の受信エレメント、及び、受信エレメントを代替するための代替エレメントを有するホームオートメーション装置に適用される。送信エレメント、受信エレメント、置換用エレメントは同一のネットワーク（ＲＦＮ）に属する。受信エレメントがスリープモードにある場合、代替エレメントは、送信エレメントにより送信される受信エレメント宛の情報を受信及び記憶し、受信エレメントが、もはやスリープモードでない場合、代替エレメントは、受信エレメント宛の情報を送信する。
【００１２】
受信エレメントがスリープモードでない場合、情報は、送信エレメント及び受信エレメント間で直接送信される。
【００１３】
受信エレメントがスリープモードであり且つ情報の受信が生じる場合、代替エレメントは、代替エレメントの識別子を受信エレメントの識別子に置換することによって情報が適切に受信されたことを送信エレメントに対して確認することができる。
【００１４】
代替エレメントは受信エレメントがスリープモードに入ることに関するメッセージを受信エレメントから受信した後でのみ、代替エレメントは送信エレメントにより送信された受信エレメント宛の情報を受信及び記録することができる。
【００１５】
代替エレメントは代替エレメントにより受信され且つ受信エレメントにより送信された最後のメッセージの受信の後の所定の時間を計測した後でのみ、代替エレメントは送信エレメントにより送信された受信エレメント宛の情報を受信及び記録することができる。
【００１６】
代替エレメントは幾つかの受信エレメントのために代替エレメント自身を代替可能である。
【００１７】
代替エレメントは、事前の指定手続の過程で装置のエレメントの中から指定されることができる。
【００１８】
代替エレメントは、受信エレメントにより送信される信号の受信レベルが、代替エレメントになる能力がある様々なエレメントにおいて測定される事前の習得手続の過程で決定されることができる。
【００１９】
信号は、受信エレメントにより減少された電力において送信されることができる。
【００２０】
信号受信感度は、代替エレメントになる能力を有する装置の各エレメントにおいて減少されることができる。
【００２１】
本発明に係るホームオートメーション装置は、少なくとも１つの送信エレメント、電源内蔵型受信エレメントを有する。それは、ハードウェア及び上述の通信方法を実行することを特徴とする。
【発明を実施するための最良の形態】
【００２２】
添付の図面は、例証として、本発明に係るホームオートメーション装置の実施例、及び、本発明に係る通信方法の実施形態を説明する。
【００２３】
図１に表されるホームオートメーションの装置ＩＮＳＴでは、様々なエレメントＳＲＵ、ＭＭＩ、ＳＢＵ、ＡＣＴ１、ＡＣＴ２、ＡＣＴ３が、二重線で表される同一の無線周波数ネットワークＲＦＮ上を通信する。エレメント間の通信は、各エレメントのアドレス又は識別子によって区別され、双方向の送信機ＲＸ／ＴＸによって実行される。その装置は、電気ネットワークＥＰＮによって電力を供給されるエレメントＡＣＴ１、ＡＣＴ３を有し、一方、他のエレメントＳＲＵ、ＭＭＩ、ＡＣＴ２は、電源内蔵型である。ネットワークのエレメント間の通信は、特に赤外線通信手段のような他の手段によって確実にされ得る。様々なエレメントが、同一の通信プロトコルを使用する。
【００２４】
電源内蔵型センサ又はセンサユニットＳＲＵのアドレスは、＠ＳＲＵで示され、電源内蔵型センサ又はセンサユニットＳＲＵは、気候又は快適さのパラメータ値を、デジタル数量及び／又は比較閾値に基づいて設定された制御コマンドに変換する。
【００２５】
マンマシンインタフェースＭＭＩハウジングのアドレスは、＠ＭＭＩで示され、マンマシンインタフェースＭＭＩハウジングは、エレメントにユーザコマンドを送信することを可能にし、又は、状態メッセージを表示することを可能にする。これらの２つのエレメントは、電源内蔵型である。マンマシンインタフェースは、例えば、キーパッド及びスクリーンを有する携帯リモートコントロールである。
【００２６】
第１のアクチュエータＡＣＴ１のアドレスは、＠ＡＣＴ１で示され、第１のアクチュエータＡＣＴ１は、巻き上げ式ブラインド、ドア、又は門の操縦を動作させる。この第１のアクチュエータは、電気ネットワークＥＰＮ上で給電される。
【００２７】
第２のアクチュエータＡＣＴ２のアドレスは、＠ＡＣＴ２で示され、第２のアクチュエータＡＣＴ２は、内部太陽光保護の操縦を作動させる。この第２のアクチュエータは、電源内蔵型である。
【００２８】
第３のアクチュエータＡＣＴ３のアドレスは、＠ＡＣＴ３で示され、第３のアクチュエータＡＣＴ３は、発光手段を動作させる。例えば、それは、調光器、及び、蛍光灯ランプである。それは、電気ネットワークＥＰＮから給電される。
【００２９】
ネットワークのエレメントの各々のアドレス又は識別子は、それらが通信しそうなネットワークの他のエレメントの全てに知られている。そのアドレス又は識別子の記録は、当業者のよく知る構成又はペアリング手順のステップ間に生じる。このようにして、アクチュエータは、それらが制御コマンドをどっちのコントロールユニットから受信したかを知る。
【００３０】
ホームオートメーションネットワークＲＦＮの全てのエレメントは、特に、エネルギー電源内蔵型エレメントは、ハウス・キーと呼ばれる同じ認証鍵を使用して、ホームオートメーションネットワークのメンバーシップを認識することを可能にする。
【００３１】
エネルギー電源内蔵型エレメントは、例えば太陽電池センサのような非電気エネルギーを電気エネルギーに変換可能な手段と共に、乾電池、あるいは、蓄電池、スーパーコンデンサ、燃料電池によって給電される。
【００３２】
その装置の特定のエレメントＳＢＵは、「代替エレメント」と称される。このエレメントは、好ましくは、破線で表されるような電気ネットワークＥＰＮ上で給電される。変形例として、その代替エレメントは、エネルギー電源内蔵型であるが、本発明にかかる通信方法を実行する他の電源内蔵型エレメントよりずっと大きな自律性を有する。代替エレメントのアドレスは、＠ＳＢＵで示される。代替エレメントは、情報を記憶することができるメモリＭＥＭを含む。代替エレメントは、それ自身、電気ネットワークで給電されるアクチュエータの中に含まれるのが好ましいが、本発明に係る通信方法の実行を可能にするただ１つの機能を有する分割したエレメントであっても良い。
【００３３】
上記方法の利点は、とても小さな値の負荷比率（動作状態期間及びスリープ状態期間の間の比率）であると共に、電源内蔵型のエレメントが、スリープ状態に入るための情報の宛先であることを許可することである。反対に、代替エレメントは、永久的にリッスンし、又は、いかなる無線メッセージの受領も保障するために十分な負荷比率で動作する。
【００３４】
上記方法の動作のモードは、図２に概略的に表され、そこでは、そのモードは、代替エレメントＳＢＵによって実行される。
【００３５】
第１のステップＥ２１では、代替エレメントは、代替エレメントが宛先となっていないが、代替エレメントに知られている電源内蔵型の受信エレメントに向けられている情報を送信エレメントから受信する。代替エレメントが電源内蔵型の受信エレメントを突き止めることを可能にする指定又は習得方法は、後述される。
【００３６】
第２のステップＥ２２では、代替エレメントが、電源内蔵型受信エレメントがスリープモードにあることを確認する。電源内蔵型受信エレメントが、スリープモードで無い場合、上記方法は、最初の無線リスニングフェーズに戻る。他方、代替エレメントは、電源内蔵型受信エレメントがスリープモードであると判断すると、次に、第３のステップＥ２３に入り、そのステップで、代替エレメントが、そのメモリＭＥＭに情報を記憶し、そして、送信エレメント宛の受信確認メッセージを送信することで、情報の適切な受信を知らせる。代替エレメントは、この受信確認メッセージの中で、代替エレメント自身のアドレスを受信する電源内蔵型エレメントのアドレスに置き換える。したがって、この瞬間に、送信エレメントのために、その情報は効果的に受信エレメントに送信される。
【００３７】
第４のステップＥ２４では、電源内蔵型受信エレメントによる問合せで、代替エレメントは、メモリに記憶した情報を電源内蔵型受信エレメントに送信する。その問合せは、電源内蔵型受信エレメントによって特に指定されるメッセージを有し、あるいは、その問合せは、電源内蔵型受信エレメント起動時はどんなときでも電源内蔵型受信エレメントによる特に指定を有さないブロードキャストメッセージを有する。
【００３８】
図３は、タイムチャート形式で上から下への時間推移におけるエレメント間の変換の第１の実施例による方法の適用を表す。
【００３９】
左縦線は、センサＳＲＵ、マンマシンインタフェースＭＭＩ又は第２のアクチュエータＡＣＴ２の装置の電源内蔵型エレメントを１例として構成する電源内蔵型受信エレメントＳＡＵを指定する。右縦線は、代替エレメントＳＢＵから構成される。代替エレメントは、既に電源内蔵型受信エレメントを突き止めていること等などを仮定する。
【００４０】
最初の状態では、電源内蔵型受信エレメントＳＡＵは、例えば、その内部クロックより作動し、又は、他の理由のために、その活動を完了する。それから、第１のステップＥ３１に入り、そのステップでは、受信エレメントは、受信エレメントがスリープモードに入ることを通知し、これが、メッセージ「ＳＬＰ」によって表される。このメッセージを受信すると、代替エレメントは受信を確認し（確認は図示せず）、第２のステップＥ３２では、電源内蔵型受信エレメントのスリープ状態を記録するために、代替エレメントは、内部指示器ＳＬＰを高い状態に切り替える。
【００４１】
その一例として、電源内蔵型受信エレメントは、スリープモードに入り、そしてそのスリープモードは、二重線で示される。
【００４２】
第３のステップＥ３３では、メッセージＭＳＧは、電源内蔵型受信エレメントに宛てられ、送信エレメントと称され且つＸＸＸと表示されるその装置の別のエレメントから発せられる。この送信エレメントは、任意である。例えば、操作コマンドが確かに実行される電源内蔵型受信エレメント（マンマシンインタフェースＭＭＩを有する携帯リモート制御）に信号を出したい第３のアクチュエータＡＣＴ３である。あるいは、送信エレメントＸＸＸは、その新しい応答閾値の値を、センサＳＲＵに示したい携帯リモート制御である。
【００４３】
このメッセージは、スリープモードにある電源内蔵型受信エレメントによって読み取られないが、代替エレメントによって取得される。
【００４４】
第４のステップＥ３４では、代替エレメントＳＢＵは、内部指示器ＳＬＰの状態をテストする。内部指示器ＳＬＰが高い状態であるので、メッセージＭＳＧは、代替エレメントで記録され、受信確認の第５ステップＥ３５がトリガーされる。このステップの過程では、代替エレメントは受信エレメントの識別を取得し、即ち、受信確認メッセージの中で、代替エレメント自身のアドレスの代わりに電源内蔵型受信エレメントの識別子又はアドレスを示す。それから、送信エレメントは、適切な受信があることに気付き、それゆえ、ネットワークを不必要に充填する多数の送信に着手しないように、現状の送信セッションを完了する。
【００４５】
受信エレメントＳＡＵが起動した（二重縦線の終わりで）後で、第６のステップＥ３６に入り、そこでは、受信エレメントが、代替エレメントに受信エレメントが再びアクティブであることを通知し、これはメッセージ「ＡＷＫ」によって表される。これは、第７のステップＥ３７で、内部指示器ＳＬＰを低い状態に切り替える効果を有し、第８のステップＥ３８に入り、代替エレメントに格納されるメッセージＭＳＧが、受信エレメント宛にして送信されるという効果を有する。このステップＥ３８は、代替エレメントが、それ自身の識別子を送信エレメントの識別子に置換することができる。したがって、通信方法は、受信エレメントに関して透過的である、即ちそれに関する限り、受信エレメントが送信エレメントから直接メッセージＭＳＧを受信したかのように全てが生じる。
【００４６】
この第１の例において、通信方法の第２のステップＥ２２は、それゆえ、受信エレメントそれ自身によって通信されるスリープ状態の性質に関するテストによって実行される。
【００４７】
図４は、第２の例を構成し、そこで通信方法のステップＥ２２が異なって実行される。この第２の実施例は、電源内蔵型受信エレメントに宛てられるメッセージへの応答が無い場合の検出に基づいている。この応答の欠如は、電源内蔵型エレメントのスリープモードに関連することが仮定される。
【００４８】
第１のステップＥ４１では、メッセージＭＳＧは、電源内蔵型受信エレメントＳＡＵにその宛先が宛てられ、送信エレメントと呼ばれ且つＸＸＸと称されるその装置の別なエレメントから生じる。この瞬間では、受信エレメントは、スリープモードであり、２重線で表される。このメッセージは、受信エレメントによって理解されないが、代替エレメントによって取得され、それから、代替エレメントは、タイムアウトを開始する第２ステップＥ４２をトリガーする。このタイムアウトの間に、代替エレメントは、例えば受信確認の形式で、電源内蔵型受信エレメントから応答が無いかどうかをテストする。さらに一般的な様式では、代替エレメントは、電源内蔵型受信エレメント側に送信アクティビティがあるかどうかをテストする。このテストは、無線アクティビティがタイムアウト期間中に電源内蔵型受信エレメント側で検出されないならば、代替エレメントによってメッセージＭＳＧの記憶と共に終了するという第３のステップＥ４３の課題を形成し、そして、代替エレメントは受信エレメントがスリープモード状態になっていることを結論付ける。この場合、受信確認第４のステップＥ４４に入る。このステップの過程では、代替エレメントは、受信エレメントの識別を取得し、即ち、代替エレメントは、受信確認内でその代替エレメント自身のアドレスの代わりに電源内蔵型受信エレメントの識別子又はアドレスを示す。
【００４９】
それから、送信エレメントは、適切な受信があることに気付き、それゆえ、現状の送信セッションを、ネットワークに不必要に充填する多数の送信を生じないように完了する。
【００５０】
受信エレメントＳＡＵが起動又はもっと一般的には作動モード（二重線の末端）に戻った後で、第５のステップＥ４５に入り、そのステップで、メッセージ「ＡＷＫ」で示される受信エレメントが再びアクティブであることを通知する。これは、第６のステップＥ４６が入ることをもたらし、そのステップでは、代替エレメントに格納されるメッセージＭＳＧが、受信エレメント宛に送信される。このステップＥ４６では、代替エレメントは、代替エレメント自身の識別子を送信エレメントの識別子に置換する。したがって、通信方法は、受信エレメントに関して透過的である、即ち、それに関する限り、受信エレメントが送信エレメントから直接メッセージＭＳＧを受信したかのように全てが生じる。
【００５１】
変形例において、受信エレメントのスリープ又は起動状態を含むメッセージは、メッセージの送信者を示すが、宛先を特定しないブロードキャストモードにしたがって送信される。そのとき、関連する代替エレメントのみがそのメッセージを使用する。
【００５２】
同一の代替エレメントは、幾つかの電源内蔵型受信エレメントをそれ自身に置換し、即ち、個々の知識を有するという条件で、幾つかの電源内蔵型エレメントに宛てられたメッセージを記憶する。
【００５３】
図５は、代替エレメントを指定する方法を記述する。第１のステップＥ５１では、習得モードに入るためのコマンドが、代替エレメントに関するデバイスのアクションによって、選択された代替エレメントＳＢＵに送信される。例えば、そのアクションは、代替エレメントＳＢＵを電気供給網に繋がる電子ソケットに差し込むという事実であっても良い。代替エレメントが、アクチュエータの１つの中に含まれる場合、そのアクションは、そのアクチュエータと既にペアになるリモートコントロールからの特定のプログラミング信号を送信することであっても良い。
【００５４】
第２のステップＥ５２では、受信エレメントのアドレスを含む無線信号を送信するために、電源内蔵型受信エレメントＳＡＵ（ＳＲＵ、ＭＭＩ、ＡＣＴ２）上にアクションがある。このアクションは、例えば、電源内蔵型受信エレメントの中に接触を作動させるキーの押下である。
【００５５】
第３のステップＥ５３では、電源内蔵型エレメント＠ＳＡＵのアドレスは、代替エレメントによって記録され、そして代替エレメントは、その自身のアドレス＠ＳＢＵを示すメッセージを、電源内蔵型受信エレメントに送信する。この第３のステップの完了で、代替エレメントは、代替エレメントが置換等するための電源内蔵型受信エレメントを突き止める。しかしながら、代替エレメントが電源内蔵型エレメントに知られる必要は無い。
【００５６】
図６は、代替エレメントを構成する方法を記述する。第１のステップＥ６１では、電源内蔵型受信エレメントのアドレスを含む特定の無線信号を送信するために、電源内蔵型受信エレメント上でアクションが生じる。このアクションは、例えば、電源内蔵型受信エレメントにおいて接触を作動させる特定のキーの押下である。
【００５７】
この特定の無線信号は、例えば、養成モードに入るための特定のコマンドを含む。好ましくは、特定の無線信号が、減少された電力状態で送信される。
【００５８】
第２のステップＥ６２では、信号は、リスニングしている装置の全エレメントによって受信され、受信された信号の電力にしたがって、代替エレメントになるための必要な手段も有する非電源内蔵型エレメント又は高容量電力供給を有する非電源内蔵型エレメントは、受信した信号の電力にしたがってランク付けされる。そのランク付けは、次のような様式で実行される。信号の受信後のランダムな期間と共に、エレメントの１つは、その識別子及びその受信したレベル値を含むメッセージを無線ネットワーク上にトークし、又は、ブロードキャストする。この第１のブロードキャストの後に、この値より大きなレベルを受信したエレメントのみが、受信したレベル値の第２のブロードキャスト間にトークすることが承認される。とても素早く、装置の複雑性に依存して、最高の状態下にある信号を受信したエレメントのみが、まだ残る。この方法にしたがって、このエレメントはそれから代替エレメントになる。
【００５９】
第３ステップＥ６３では、代替エレメントのアドレスを含むメッセージは、受信エレメントに送信され、一方では、代替エレメントは、それが置換するための受信エレメントのアドレスを記録する。或いは、第１のステップＥ６１の送信後にスリープモードに入る受信エレメントは、所定のタイムアウト後に起動し、それが起動したことを信号で送るための信号をブロードキャストする。（第２のステップＥ６２間に決定された）最高の状態下の信号を受信したエレメントのみが、そのアドレスと通信することによって応答する。
【００６０】
記述した実施例から現れることは、代替エレメントが、絶対的に、それが置換する受信エレメントの識別子を突き止めることである。他方では、逆は不要である。特に、受信エレメントによって代替エレメントに信号を送信する図３のステップＥ３６及び図４のステップＥ４５は、この信号が行き先となるエレメントを記述することなく、受信エレメントによってブロードキャストするステップに好適にも置換しても良い。このケースでは、第２のステップＥ５３及びＥ６３の最後のフェーズは、削除される。さらに、第３のステップＥ３８及びＥ４６の記述において先に表されたように、受信エレメントは、送信エレメントから生じるように代替エレメントを考慮する一方で、代替エレメントからメッセージを受信することができる。
【００６１】
本特許出願では、表現「送信エレメント」は、情報のタイプ（制御コマンド、データ項目、受信の受領確認等）を送信するエレメントを意味するとして理解される。そのエレメントは、たとえ受信の受領確認から生じる制御コマンドの宛先だとしても、（例えば受信の受領確認）情報に関する限りにおいて「送信エレメント」と呼ばれる。
【００６２】
本特許出願では、表現「受信エレメント」は、情報のタイプ（制御コマンド、データ項目、受信の受領確認等）を受信するエレメントを意味するとして理解される。そのエレメントは、たとえこの制御コマンドに応答して受領の受信確認の送り手だとしても、（例えば制御コマンド）情報に関する限りにおいて「受信エレメント」と呼ばれる。
【００６３】
本発明は、特に装置が幾つかの電源内蔵型センサを有するケースで特に有利であり、装置全体が、実際に電源内蔵型エレメントによって駆動される場合、更に有利である。
【００６４】
通信方法の動作を許可するプログラムは、電気ネットワーク上で給電されるデバイスの中に、製造中に一体化されるのが好ましい。或いは、一旦装置が完成したなら、そのようなプログラムは、その装置の一つ以上のエレメント上にダウンロード可能であることが好ましい。
【００６５】
本発明においては、様々なエレメント（送信エレメント、受信エレメント、及び代替エレメント）が、同一のネットワークに属し、したがって、同じプロトコル及び手段を用いた互いに通信可能である。したがって、受信エレメントは、直接的に、アクティブであるときネットワークの他のエレメントに通信可能であり、それによって、ネットワーク上のトラフィックを制限する。さらに、受信エレメントは、代替エレメントを有しない単純なネットワーク上で使用可能である。この場合、受信エレメントにより送信されるメッセージは、永久的にアクティブである他のエレメントによって受信される。他方では、受信エレメントへのメッセージの送信は、それが起動するまで繰り返されなければならないだろう。結果的に生じるトラフィックの増加は、単純なネットワークに含まれる事実によって支持されている。
【図面の簡単な説明】
【００６６】
【図１】本発明に係る装置の実施例を表す図である。
【図２】本発明に係る通信の実行形態のフローチャートである。
【図３】通信方法の実行の変形例のタイムチャートである。
【図４】通信方法の実行の変形例のタイムチャートである。
【図５】本発明に係る代替エレメントを指定する方法のフローチャートである。
【図６】本発明に係る代替エレメントを養成する方法のフローチャートである。
【図１】
2008011533.tif 000003
【図２】
2008011533.tif 000004
【図３】
2008011533.tif 000005
【図４】
2008011533.tif 000006
【図５】
2008011533.tif 000007
【図６】
2008011533.tif 000008